【事件の表示】
　特許第２７６０７７１号「乗用型田植機」の特許に対する特許異議の申立てについて、次のとおり決定する。　
【結　論】
　訂正を認める。
　特許第２７６０７７１号の特許請求の範囲に記載された発明についての特許を維持する。
【理　由】
１.手続の経緯
　本件特許第２７６０７７１号の請求項１に係る発明の出願は、平成１年１月２０日に出願した特願平１−１２７７９号の一部を新たな特許出願とした特願平８−８０５９号であって、平成１０年３月２０日にその特許の設定登録がなされ、その後、特許異議の申立がなされ、取消理由通知をなしたところ、その指定期間内の平成１１年１１月１５日に訂正請求がなされたものである。
　
２.訂正の適否の判断
 イ）訂正請求の内容
  １）特許明細書の【特許請求の範囲】の欄の【請求項１】の記載における「備えると共に、」の後に、「前記苗植付装置（３）は、植付機構（９）、苗のせ台（６）、及び、それらの植付機構（９）や苗のせ台（６）に対する伝動機構が内装された複数のチェーンケース（８）を備え、かつ、各チェーンケース（８）は、その後端側が自由端となる片持ち状に構成され、前記ガイド部材（１５）の左右両側部が、機体横幅方向での左右外側に位置するチェーンケース（８）の後端側に支持され、」を加入する。
　
　２）特許明細書の段落【０００５】【課題を解決するための手段】の記載における「備えると共に、」の後に、「前記苗植付装置は、植付機構、苗のせ台、及び、それらの植付機構や苗のせ台に対する伝動機構が内装された複数のチェーンケースを備え、かつ、各チェーンケースは、その後端側が自由端となる片持ち状に構成され、前記ガイド部材の左右両側部が、機体横幅方向での左右外側に位置するチェーンケースの後端側に支持され、」を加入する。
　
 ロ）訂正目的の適否
　上記１）の訂正は、特許明細書の特許請求の範囲に記載された「苗植付装置（３）」及び「ガイド部材（１５）」の構成を限定するものであって、特許請求の範囲の減縮に相当するものであり、また、上記２）の訂正は、上記特許請求の範囲の訂正に整合させて発明の詳細な説明の記載を訂正するものであって、明りようでない記載の釈明に相当すると認める。
　
 ハ）新規事項及び拡張・変更について
　上記１）及び２）の訂正は、特許明細書の段落【０００８】、【０００９】、【００１０】、【００１２】の各記載及び図５、６、７に記載された事項の範囲内においてなされたものであり、又、実質上特許請求の範囲を拡張し、又は変更するものでないと認める。
　
 ニ）独立特許要件について
（本件発明）
　訂正請求された特許請求の範囲の請求項１に記載された発明（以下、本件発明という）は次のとおりである。
「【請求項１】薬剤を貯留するホッパ（１３）と、前記ホッパ（１３）から薬剤を繰出す繰出し機構（１４）と、繰出された薬剤を回転によって飛散させる回転体（３３）と、前記回転体（３３）によって飛散された薬剤を拡散させて圃場面に落下案内する横長のガイド部材（１５）とを備えて、薬剤散布装置（５）を構成し、
　機体の後部に支持された苗植付装置（３）の後側に前記薬剤散布装置（５）を備えると共に、
　前記苗植付装置（３）は、植付機構（９）、苗のせ台（６）、及び、それらの植付機構（９）や苗のせ台（６）に対する伝動機構が内装された複数のチェーンケース（８）を備え、かつ、各チェーンケース（８）は、その後端側が自由端となる片持ち状に構成され、
　前記ガイド部材（１５）の左右両側部が、機体横幅方向での左右外側に位置するチェーンケース（８）の後端側に支持され、旋回時における前記苗植付装置（３）の最外側軌跡（Ａ）よりも旋回中心側に、前記ガイド部材（１５）の左右両端部が位置するように設定してある乗用型田植機。」
　
（引用刊行物に記載の発明）
　取消理由通知で引用された刊行物１〜３の記載事項は、次のとおりである。
　
刊行物１：実願昭６２ー１０２１８５号（実開昭６４ー６８１５号）のマイクロフイルム
　田植機と薬剤散布機の連動機構に関し、
「１は田植機を示す。同田植機１は牽引装置１Ａと、同牽引装置１Ａの後端部に連結する田植装置１Ｂにより形成される。そして同牽引装置１Ａ において、・・・６は運転席、２１は同運転席６の下方に回動自在に取り付けられた操作レバーを夫々示す。・・・そして上記田植装置１Ｂの下端部より斜め上方に向けて取付けアーム９が延設され、同取付けアーム９の先端部には薬剤撒布機１０が取り付けられる。即ち、同取付けアーム９の先端部より水平方向に取付けアーム１１が延設され、同取付けア一ム１１の先端部には薬剤撒布機１０の本体ケース１２が取り付けられる。同本体ケース１２は漏斗部１２Ａとギヤケース部１２Ｂより成り、同漏斗部１２Ａの頂部にはホッパー１３が取り付けられる。又、同漏斗部１２Ａの下端部と、後述するファンカバー１４の頂部に形成する開口部１４’間を連通させて通路３１が設けられ、同通路３１の漏斗部１２Ａ側の開口端には開閉蓋１５が同通路を開閉自在に取り付けられると共に、漏斗部１２Ａの下端寄り部には撹拌棒１６が回動自在に軸支され、同撹拌棒１６の撹拌作用を介して漏斗部１２Ａ内におけるブリッジ現象の発生を防止することが出来る様に設けられる。一方、図示省略してあるが、ギヤケース部１２Ｂ内にはウォーム歯車とウォームが噛合させて内蔵され、同ウォームの軸線上には撒布ファン１７が回転自在に軸支されると共に、同撒布ファン１７には前述のファンカバー１４が被覆される。同ファンカバー１４は底面及び周縁部の一部を開口させて形成され、その周縁部に形成する開口部より外方に向けて除草剤、殺虫剤等を撒布することが出来る様に設けられる。」（３頁５行〜５頁２行）、
の記載がある。
　
刊行物２：実願昭５４ー８５１２７号（実開昭５６ー３７８９号）のマイクロフイルム
　薬剤散布装置付乗用型田植機に関し、
「本考案は、圃場面に植付けた苗の周辺に除草剤又は肥料等の薬剤を散布するための散布装置を備えた乗用型田植機に関するものであり、詳しくは薬剤散布装置及び散布管を苗植装置の苗載台の後方に設けることにより散布薬剤の飛散を防止し、目的箇所への薬剤散布を確実に行えるようにしたものである。」（１頁１３〜１９行）、
「図において(１)は・・・トラクタで、・・・機体（６）の後部に突出するＰＴＯ軸(９)から苗植装置（１０）へ伸縮自在な継手軸（１１）を介して動力伝達される。
　この苗植装置（１０）は側面逆く字状伝動ケース（１２）（１２）（１２）と、該各伝動ケース（１２）の先端両側において上下揺動回動する苗植機構（１３）と、各伝動ケース（１２）の下面に取付くフロート（１４）、並びに前記３つの伝動ケース（１２）（１２）（１２）上面において、下端を前方に上端を後方になるよう傾設した苗載台（１５）とから成り、・・・前記各伝動ケース（１２）（１２）（１２）間は伝動軸(図示せず)を内蔵した管状部材（１７）（１７）で連結し、前記ＰＴＯ軸(９)からの動力は中央伝動ケース（１２）の入力軸（１８）に伝達され、苗載台（１５）を往復駆動させると共に苗植機構（１３）をその各苗植爪（１９）がガイドレール（１６）における苗取出口（２０）と圃場との間を往復するように駆動させる。」（２頁２行〜３頁５行）、
「（２６）は前記苗載台（１０）の裏面側に設けた薬剤散布装置を示し、該散布装置（２６）は任意の伝動ケース（１２）の後方にリンク（２７）（２８）を介して連結した左右車輪（２９）（２９）付台車（３０）に搭載されており、その散布機構（３１）は小型エンジン（３２）により回転駆動される送風ファン（３３）、半透明又は透明の薬剤タンク（３４）及び燃料タンク（３５）とから成り、薬剤タンク（３４）から定量づつ出た薬剤は送風ファン（３３）で空気と混合された後、空気と共に吐出口（３６）から放出されるようになっており、散布機構（３１）には機体の座席（４）部等からワイヤ一等による遠隔操作によって散布をＯＮ、ＯＦＦ、するようにしたシャッタ(図示せず)を備えている。
　そして、前記苗植装置（１０）における苗載台（１５）の裏面には苗載台（１５）の幅と略同じ長さの散布管（３７）を苗載台（１５）と平行に各伝動ケース（１２）（１２）（１２）等に支持せしめて設け、該散布管（３７）には前記散布機構（３１）における吐出口（３６）をフレキシブル管（３８）を介して接続する一方、散布管（３７）にはその長手方向に適宜間隔で散布孔(図示せず)を多数個穿設して薬剤を斜め後方下向きに放出するように構成するものである。」（３頁１４行〜４頁１３行）、
「この場合本考案では、苗載台を後傾させ、その後方に薬剤散布装置を設け、薬剤散布管は苗載台裏面に沿って苗載台の巾と略ー致させて設けることができるから、機体走行に伴って発生する走行風や、田植機の前方から吹く向い風は当該苗載台にさえぎられ、風は散布管の散布孔に直接当ることがなく、したがって、薬剤が粉末状であっても風によって散布箇所か遠くに飛散することがなく目的箇所に確実に散布できるのである。」（５頁２〜１０行）、
の記載がある。
　
刊行物３：特公昭４８ー２７７６４号公報
　肥料等の散布装置に関し、
「本発明は粉状の肥料其の他等の物体を廻転軸の廻りに設けたスピンナーにより散布する装置を持つ作業機に於て、散布巾を従来公知のものに比較して拡大すると共に、散布むらを少くし且つ散布物体を飛遊させない事を目的としたもので」（１欄１３〜１７行）、
「粉状の肥料、其の他等の物体１を収納するホッパー２の下部位置に、廻転自在に軸支３される廻転軸４に、適宜の形状寸法のデスク５、ブレード６を設ける。ホッパー２と軸支部３とはフレーム７等により適宜一定の関係位置を保つように形成されている。廻転軸４には、直接伝導又は摩擦、歯車等の間接伝導等の適宜の伝導機構群８が連結してなり、入力軸９に外部より、廻転動力が与えられて強制的に廻転する構成となっている。又ホッパー２の下部位置に設けられた繰出し孔（単数又は複数）１０によって或る任意量ずつの物体１がホッパー２よりデスク５に向けて繰出されるよになっている。
　更にデスク５、ブレード６を覆う位置から作業機の進行方向に直角方向に長手方向を持つ適宜形状の金属桿等１１，１１′を支持桿として、トンネル状の覆布１２，１２′を覆せる。トンネル状の覆布１２，１２′の両端部には適宜形成寸法の空気排出孔１３，１３′が設けてある。」（１欄２０行〜２欄１行）、
の記載がある。
　
（対比・判断）
　以下、本件発明と取消理由通知で引用した刊行物の記載事項とを対比・検討する。
　先ず、上記刊行物１記載の「漏斗部」、「撒布ファン」、「ファンカバー」、「薬剤散布機」、「田植装置」は、それぞれ本件発明の「繰出し機構」、「回転体」、「ガイド部材」、「薬剤散布装置」、「苗植付装置」に相当するから、刊行物１には、薬剤を貯留するホッパと、前記ホッパから薬剤を繰出す繰出し機構と、繰出された薬剤を回転によって飛散させる回転体と、前記回転体によって飛散された薬剤を拡散させて圃場面に落下案内するガイド部材とを備えて、薬剤散布装置を構成し、機体の後部に支持された苗植付装置の後側に前記薬剤散布装置を備えた乗用型田植機が記載されている。
　次に、刊行物２記載の「薬剤タンク」、「送風ファン」、「苗植装置」、「苗植機構」、「苗載台」は、それぞれ本件発明の「ホッパ」、「回転体」、「苗植付装置」、「植付機構」、「苗のせ台」に相当すると共に、本件発明の「チェーンケース」は、「伝動ケース」の一種であるから、刊行物２には、薬剤を貯留するホッパと、前記ホッパから薬剤を繰出す繰出し機構と、薬剤を回転によって飛散させる回転体と、前記回転体によって飛散された薬剤を圃場面に散布する横長の散布管とを備えて、薬剤散布装置を構成し、機体の後部に支持された苗植付装置の後側に前記薬剤散布装置を備えると共に、前記苗植付装置は、植付機構、苗のせ台、及び、それらの植付機構や苗のせ台に対する伝動機構が内装された複数の伝動ケースを備え、前記散布管の左右両端部が、機体横幅方向での左右に位置する伝動ケースの後端側に支持され、旋回時における前記苗植付装置の最外側軌跡よりも旋回中心側に、前記散布管の左右両端部が位置するように設定してある乗用型田植機、が記載されていると認める。
　さらに、刊行物３記載の「粉状の肥料等」、「繰出し孔１０」、「スピンナー」、「トンネル状の覆布１２，１２′」は、それぞれ本件発明の「薬剤」、「繰出し機構」、「回転体」、「ガイド部材」に相当するから、刊行物３には、薬剤を貯留するホッパと、前記ホッパから薬剤を繰出す繰出し機構と、繰出された薬剤を回転によって飛散させる回転体と、前記回転体によって飛散された薬剤を拡散させて圃場面に落下案内する横長のガイド部材とを備えた薬剤散布装置が記載されていると認める。
　また、取消理由通知で引用した周知例１の実願昭４８ー１０８７１８号（実開昭５０ー５２１６０号）のマイクロフイルムには、「回転散布体１６と円筒形の囲繞枠２８とを用いて消毒薬等を散布する散布装置」が、同周知例２の実願昭５２ー１０１２９３号（実開昭５４ー２７０１６号）のマイクロフイルムには、「耕耘部の幅に合わせて肥料または農薬を散布するのに、トラクターの後部機体に直接に取り付けたスライド式のおおいを用いる散布装置」が、それぞれ記載されている。
　
　しかしながら、刊行物１記載のガイド部材の構成及び薬剤散布装置の苗植付装置への取付け構成は、本件発明のものとは全く相違し、また、刊行物２記載の薬剤散布装置も、薬剤の散布は散布管でなされるものであって本件発明のもののようにガイド部材を用いるものではないと共に、薬剤散布装置は、伝動ケースの後方にリンクを介して連結した台車に搭載されものであって該伝動ケースは片持ち状に構成されたものではないから、その取付け構成は本件発明のものとは相違する。そして、刊行物３及び周知例には、横長のガイド部材とを備えた散布装置の記載があるだけである。
　そうしてみると、上記各刊行物には、本件発明の「回転体（３３）によって飛散された薬剤を拡散させて圃場面に落下案内する横長のガイド部材（１５）を備えて、薬剤散布装置（５）を構成し、各チェーンケース（８）は、その後端側が自由端となる片持ち状に構成され、前記ガイド部材（１５）の左右両側部が、機体横幅方向での左右外側に位置するチェーンケース（８）の後端側に支持され、旋回時における前記苗植付装置（３）の最外側軌跡（Ａ）よりも旋回中心側に、前記ガイド部材（１５）の左右両端部が位置するように設定してある」構成は、記載されても示唆されてもいない。
　そして、本件発明は、上記構成を本件発明の主要な構成要件とすることで、「苗植付装置を畦や地上の突出物に接触させないように機体を旋回させれば、横長のガイド部材を畦や地上の突出物に接触させてしまうようなことがないようにすることができた。これにより、横長のガイド部材の破損によって薬剤の散布が均一に行えないという状態や、ガイド部材に付着した泥や草の露に薬剤が堆積し大きな塊となって圃場面に落ちることによる薬害を未然に防止することができた。」という特有の効果を奏するものと認める。
　したがって、本件発明は、上記刊行物及び周知例の記載事項に基づいて当業者が容易に発明できたものとはいえないから、特許出願の際独立して特許を受けることができるものである。
　
 ホ）むすび
　以上、上記訂正請求は、特許法等の一部を改正する法律（平成６年法律第１１６号）附則第６条第１項の規定によりなお従前の例とされる、特許法第１２０条の４第２項及び同条第３項において準用する特許法第１２６条第２〜４項の規定に適合するので、当該訂正を認める。
　
３.特許異議申立てについての判断
 イ）申立ての理由の概要
　特許異議申立人ヤンマー農機株式会社は、本件発明は、下記甲第１号証〜甲第３号証に記載の発明に基づいて当業者が容易に発明できたものであって、特許法第２９条第２項の規定に違反して特許されたものであるから、当該特許は取り消されるべきである旨主張している。
　
 ロ）提出証拠
　取消理由通知の引用刊行物１〜３と同一である下記の刊行物からなる。
記
甲第１号証：実願昭６２ー１０２１８５号（実開昭６４ー６８１５号）のマイクロフイルム（刊行物１）
甲第２号証：実願昭５４ー８５１２７号（実開　昭５６ー３７８９号）のマイクロフイルム（刊行物２）
甲第３号証：特公昭４８−２７７６４号公報（刊行物３）
　
 ハ）判断
　特許異議申立ての理由及び証拠は、取消理由通知の理由及び引用刊行物と相違するものではないから、本件発明は、上記２．ニ）で示したように、特許異議申立ての理由及び証拠によっては、本件請求項１に係る発明の特許を取り消すことはできない。
　また、他に本件請求項１に係る発明の特許を取り消すべき理由を発見しない。
　よって、結論のとおり決定する。
【異議決定日】
平成１２年２月２９日（２０００．２．２９）
【訂正の要旨】
（訂正の要旨）
　本件訂正は、特許請求の範囲の減縮及び明りょうでない記載の釈明を目的として、願書に添付された明細書の記載を下記１）、２）のように訂正するものである。
　１）特許明細書の【特許請求の範囲】の欄の【請求項１】の記載における「備えると共に、」の後に、「前記苗植付装置（３）は、植付機構（９）、苗のせ台（６）、及び、それらの植付機構（９）や苗のせ台（６）に対する伝動機構が内装された複数のチェーンケース（８）を備え、かつ、各チェーンケース（８）は、その後端側が自由端となる片持ち状に構成され、前記ガイド部材（１５）の左右両側部が、機体横幅方向での左右外側に位置するチェーンケース（８）の後端側に支持され、」を加入する。
　２）特許明細書の段落【０００５】【課題を解決するための手段】の記載における「備えると共に、」の後に、「前記苗植付装置は、植付機構、苗のせ台、及び、それらの植付機構や苗のせ台に対する伝動機構が内装された複数のチェーンケースを備え、かつ、各チェーンケースは、その後端側が自由端となる片持ち状に構成され、前記ガイド部材の左右両側部が、機体横幅方向での左右外側に位置するチェーンケースの後端側に支持され、」の記載を加入する。
（５４）【発明の名称】
乗用型田植機
（５７）【特許請求の範囲】
　　【請求項１】　薬剤を貯留するホッパ（１３）と、前記ホッパ（１３）から薬剤を繰出す繰出し機構（１４）と、繰出された薬剤を回転によって飛散させる回転体（３３）と、前記回転体（３３）によって飛散された薬剤を拡散させて圃場面に落下案内する横長のガイド部材（１５）とを備えて、薬剤散布装置（５）を構成し、
　機体の後部に支持された苗植付装置（３）の後側に前記薬剤散布装置（５）を備えると共に、
　
前記苗植付装置（３）は、植付機構（９）苗のせ台（６）、及び、それらの植付機構（９）や苗のせ台（６）に対する伝動機構が内装された複数のチェーンケース（８）かつ、各チェーンケース（８）は、その後端側が自由端となる片持ち状に構成され、
　
前記ガイド部材（１５）の左右両側部が、機体横幅方向での左右外側に位置するチェーンケース（８）の後端側に支持され、
【発明の詳細な説明】
　【０００１】
　　【産業上の利用分野】
　本発明は機体の後部に苗植付装置を支持した乗用型田植機の構成に関する。
　【０００２】
　　【従来の技術】
　乗用型田植機において、苗の植え付けと同時に圃場面に薬剤を散布する薬剤散布装置を装備することが提案されている。前述のように機体の後部に苗植付装置が支持された乗用型田植機の場合、苗植付装置の後側に薬剤散布装置を備えることになる。
　【０００３】
　　【発明が解決しようとする課題】
　前述のように機体の後部に苗植付装置が支持された乗用型田植機では、機体の運転部の作業者にとって、機体の後部の苗植付装置により後方視界が遮られるようなことがあるので、苗植付装置の後側に薬剤散布装置を備えた場合、機体の運転部の作業者が薬剤散布装置の位置（特に横長のガイド部材の位置）を、正確に把握し難いことがある。
　これにより、例えば機体を旋回させた場合に、薬剤散布装置を畦や地上の突出物に接触させて破損させてしまい、薬剤散布装置による薬剤の均一な散布が行えなくなることが考えられる。このような状態は、機体の運転部の作業者にとって薬剤散布装置が把握し難い苗植付装置の後側に配置され、しかも薬剤散布装置が苗植付装置から後方に突出して、横幅も大きなものとなっているからと考えられる（特に横長のガイド部材）。
　【０００４】
　薬剤散布装置を畦や地上の突出物に接触させた際に破損しなくても、泥や草の露が薬剤散布装置のガイド部材に付着することが考えられる。薬剤には吸湿性のあるものが多いので、前述のようにガイド部材に泥や草の露が付着していると、薬剤の散布に伴って泥や草の露の部分に薬剤が付着し堆積して、次第に大きな塊となっていき、最後に薬剤の大きな塊が圃場面に落ちると言うような状態の生じることがある。このように薬剤の大きな塊が圃場面に落ちると、この圃場面の部分だけ薬剤の濃度が非常に高いものになるので、苗の成長が妨げられる薬害の発生するおそれがある。
　本発明は機体の後部に苗植付装置を支持した乗用型田植機において、苗植付装置の後側に薬剤散布装置を備える場合、旋回時に薬剤散布装置を畦等に接触させてしまうことがないような構成を得ることを目的としている。
　【０００５】
　　【課題を解決するための手段】
　本発明の特徴は以上のような乗用型田植機において、次のように構成することにある。
　薬剤を貯留するホッパと、ホッパから薬剤を繰出す繰出し機構と、繰出された薬剤を回転によって飛散させる回転体と、回転体によって飛散された薬剤を拡散させて圃場面に落下案内する横長のガイド部材とを備えて、薬剤散布装置を構成し、機体の後部に支持された苗植付装置の後側に薬剤散布装置を備えると共に、
　
前記苗植付装置は、植付機構、苗のせ台、及び、それらの植付機構や苗のせ台に対する伝動機構が内装された複数のチェーンケースを備え、かつ各チェーンケースは、その後端側が自由端となる片持ち状に構成され、
　
前記ガイド部材の左右両側部が、機体横幅方向での左右外側に位置するチェーンケースの後端側に支持され、
　【０００６】
　　【作用】
　機体の後部に苗植付装置を支持した乗用型田植機において、苗植付装置の後側に薬剤散布装置を備える場合、横長のガイド部材が薬剤散布装置において最も横幅の大きなものとなる。
　これにより、請求項１の特徴のように、旋回時における苗植付装置の最外側軌跡よりも旋回中心側に、横長のガイド部材の左右両端部が位置するように設定しておくと、機体の運転部の作業者にとって苗植付装置により後方視界が遮られ、薬剤散布装置（横長のガイド部材）の位置が把握し難いものであっても、苗植付装置を目視して、苗植付装置を畦や地上の突出物に接触させないように機体を旋回させれば、苗植付装置の後側に位置する横長のガイド部材を、畦や地上の突出物に接触させてしまうようなことはない。
　前述のように横長のガイド部材を畦や地上の突出物に接触させてしまう状態を避けることができれば、横長のガイド部材への泥や草の露の付着も避けることができるので、横長のガイド部材に付着した泥や草の露に薬剤が堆積して大きな塊になると言う状態を防止できる。
　【０００７】
　　【発明の効果】
　請求項１の特徴によると、機体の後部に苗植付装置を支持した乗用型田植機において、苗植付装置の後側に薬剤散布装置を備える場合、苗植付装置を畦や地上の突出物に接触させないように機体を旋回させれば、横長のガイド部材を畦や地上の突出物に接触させてしまうようなことがないようにすることができた。これにより、横長のガイド部材の破損によって薬剤の散布が均一に行えないと言う状態や、ガイド部材に付着した泥や草の露に薬剤が堆積し大きな塊となって圃場面に落ちることによる薬害を未然に防止することができた。
　　【実施例】
　図８に本発明に係る乗用型田植機を示している。この乗用型田植機は走行機体１の後部に、昇降駆動されるリンク機構２を介して苗植付装置３を連結し、苗植付装置３の後部に施肥装置４を取り付け、施肥装置４の後方に薬剤散布装置５を備えて構成されている。
　【０００８】
　苗植付装置３は、図５及び図６に示すように、苗を載置する後下り傾斜姿勢の苗のせ台６を、フレーム兼用の植付伝動ケース７に一定ストロークで往復横移動自在に取り付け、植付伝動ケース７から後方に向けて一体に延出した３個のチェーンケース８の後部両側に植付機構９を備えて、６条植付け型式に構成されている。
　【０００９】
　チェーンケース８の後部の横軸芯Ｘ１周りで回転駆動される回転ケース１０の両端に植付爪１１を備え、回転ケース１０の回転に伴い植付爪１１が、楕円軌跡を描きながら苗を切り出して圃場に植え付けるように、植付機構９が構成されている。図５及び図７に示すように植付伝動ケース７及びチェーンケース８に、植付機構９に対する動力を各別に断続するクラッチ機構Ｃが内装されて、各クラッチ機構Ｃの入切操作を、苗のせ台６の前面側に配置した各条クラッチレバー１２の操作により行うように構成されており、一部の植付機構９が駆動される部分条植付状態と、全ての植付機構９が駆動される全条植付状態とに切換操作可能に構成されている。
　【００１０】
　図５，６，７に示すように、薬剤散布装置５は、中央上部に粉粒状の薬剤を貯留するホッパ１３、ホッパ１３の下方に所定量の薬剤を繰出す繰出し機構１４を備えており、繰出された薬剤を略全ての植付条に拡散させるように、横方向に長く延出されて下方が開放された略箱形状のガイド部材１５を備えて構成されている。チェーンケース８の後部から延出された支持フレーム１６に、薬剤散布装置５が連結されており、図９に示すようにガイド部材１５において、旋回時の苗植付装置３の最外側軌跡Ａよりも内側に、ガイド部材１５の左右両端部が位置するように設定されている。
　【００１１】
　図１，２，３に示すようにホッパ１３の下方に、薬剤通過用の透孔１７を径方向に位置ずれさせ３列に周方向に沿って多数形成した回転円板型の繰出し部材１８を備え、各列の透孔１７の通過箇所においてホッパ１３に３個の薬剤供給口１９を形成しており、薬剤供給口１９に対して回転方向に位置ずれした底板２０の部位に、落下孔２１を形成している。以上の薬剤供給口１９、透孔１７及び落下孔２１により、複数の落下案内経路Ｓが構成されており、繰出し部材１８の縦向きの駆動軸２３と植付機構９とが連動連結されている。
　【００１２】
　図５及び図６に示すように、左右のチェーンケース８により駆動される植付機構９の回転ケース１０の側部において、植付爪１１の両端に亘って架設されたブラケット２４の途中部位で横軸芯Ｘ１から偏芯した位置と、ガイド部材１５の前部下方のブラケット２５に枢支された天秤アーム２６の一端とを、押引ロッド２７を介して連結し、天秤アーム２６の一端とブラケット２５に枢支された揺動アーム２８とを、リンク２９を介して連結している。揺動アーム２８の揺動端と、駆動軸２３に取り付けられた一方向クラッチ３０とをワイヤ３１で連動連結し、回転ケース１０の回転に伴って繰出し部材１８を透孔１７のピッチ分だけ間欠的に回動させて、薬剤を繰出すように構成されている。このように駆動系を２系統備えることで、各条クラッチレバー１２の操作により部分条植付状態を設定しても、常に薬剤の繰出しが行えるようにしている。
　【００１３】
　落下案内経路Ｓを介して落下した薬剤は、電動モータ３２により縦軸芯周りで高速で回転駆動される回転円板３３（回転体に相当）に達して、回転円板３３の上面に立設された回転羽根３４により跳ね飛ばされて、ガイド部材１５の内壁に沿って案内され、略全ての植付条に亘り拡散されて圃場面に散布される。
　【００１４】
　図２及び図４に示すように、繰出し部材１８の下面側に半径方向に沿って、底板２０との間に入り込んだ薬剤を掻き取るスクレーパ３５が備えられており、落下孔２１の上部にスクレーパ３５により掻き取られた薬剤を落下孔２１に案内する径方向に沿った溝３６が形成されている。
　【００１５】
　各条クラッチレバー１２による部分条植付状態への切換操作に連動して、薬剤供給口１９を閉じるシャッタ機構３７が備えられている。図２及び図１に示すように、ホッパ１３に形成した３個の薬剤供給口１９の下方の各々に、水平方向にスライド自在なシャッタ部材３８を備え、シャッタ部材３８をスプリング３９により開側に付勢し、シャッタ部材３８の各々と各条クラッチレバー１２とを、各別にワイヤ４０を介して連動連結している。
　【００１６】
　以上の構造により、各条クラッチレバー１２のいずれかを操作して部分条植付状態に切換操作すると、この切換操作に連動して各条クラッチレバー１２に対応するシャッタ部材３８が閉操作されて、薬剤の散布量が少なくなる。これにより、全条植付状態及び部分条植付状態の切換操作に際して、各条クラッチレバー１２を操作することのみによって、薬剤の散布量が植付条の数に適合した量に自動的に変更操作されて、煩わしい作業が不要となる。
　【００１７】
〔別実施例〕
　図１０及び図１１に示すように底板２０において、繰出し部材１８に形成した３列の透孔１７の各々に対応する位置で、繰出し部材１８の周方向に沿って相互にずれた位置に、３個の落下孔２１ａ，２１ｂ，２１ｃを形成する。各々の落下孔２１ａ，２１ｂ，２１ｃは、平面視で回転羽根３４の回転軸芯Ｙに対して右側方前方位置、右横側方位置及び右側方後方位置に形成されており、右側方前方位置の落下孔２１ａから落下した薬剤は右側後方に向けて主に跳ね飛ばされ、右横側方位置の落下孔２１ｂから落下した薬剤は中央後方に向けて主に跳ね飛ばされて、右側方後方位置の落下孔２１ｃから落下した薬剤は左側後方に向けて主に跳ね飛ばされる。
　【００１８】
　以上のように各薬剤供給口１９、透孔１７及び各落下孔２１ａ，２１ｂ，２１ｃによって、複数の落下案内経路Ｓを構成してもよい。このように構成すると、植付条の数に応じて適した散布量で薬剤を散布することができるのであり、薬剤の散布領域を、全条植付状態においては略全ての植付条の領域に亘って設定し、部分条植付状態においては植付条に対応する領域のみに設定することが可能となる。
　【００１９】
　尚、特許請求の範囲の項に図面との対照を便利にする為に符号を記すが、該記入により本発明は添付図面の構成に限定されるものではない。
【図面の簡単な説明】
　　【図１】
　薬剤散布装置の縦断側面図
　　【図２】
　図１をＩＩ−ＩＩ方向から見た断面図
　　【図３】
　図１をＩＩＩ−ＩＩＩ方向から見た断面図
　　【図４】
　薬剤散布装置における落下孔付近の縦断側面図
　　【図５】
　苗植付装置、施肥装置及び薬剤散布装置の側面図
　　【図６】
　苗植付装置、施肥装置及び薬剤散布装置の背面図
　　【図７】
　苗植付装置、施肥装置及び薬剤散布装置の平面図
　　【図８】
　乗用型田植機の全体側面図
　　【図９】
　乗用型田植機の平面図
　　【図１０】
　別実施例において薬剤散布装置の繰出し機構付近の横断平面図
　　【図１１】
　別実施例において薬剤散布装置の回転円板付近の横断平面図
　　【符号の説明】
　３　　　苗植付装置
　５　　　薬剤散布装置
　１３　　ホッパ
　１４　　繰出し機構
　１５　　ガイド部材
　３３　　回転体
　Ａ　　　最外側軌跡